(57)【特許請求の範囲】
【請求項１】
オープンサーバー又はメインフレームコンピュータと、前記オープンサーバー又はメインフレームコンピュータにて処理される論理ディスク単位のデータを格納するホスト側ディスクアレイ装置と、前記ホスト側ディスクアレイ装置に通信回線を介して接続され、前記ホスト側ディスクアレイ装置に格納された論理ディスク単位のデータのバックアップを行うためのバックアップ側ディスクアレイ装置とを備えるバックアップシステムであって、
前記ホスト側ディスクアレイ装置が、バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを有し、
任意のパネルボタンが押下されたとき、前記押下されたパネルボタンに対応するペアグルーブ番号のペアを解除することを示すペア解除コマンドをバックアップ側ディスクアレイ装置に送信する第１工程と、
自己のペア状態又は初期コピー中のステータスを２重化ペア解除終了のステータスに移行する第２工程と、
キャッシュデータを削除する第３工程と、ペアを解除したボタンスイッチを消灯する第４工程とを実行するように動作するバックアップシステム。
【請求項２】
前記ホスト側ディスクアレイ装置からペア解除コマンドを受信したバックアップ側ディスクアレイ装置が、前記バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを有し、前記第２工程から第４工程を実行する請求項１記載のバックアップシステム。
【請求項３】
前記パネルボタンの表示機能が、コピーペアグループの初期コピー中には第１の色として黄色点灯し、ペア状態では第２の色として青色点灯することを特徴とする請求項２記載のバックアップシステム。
【請求項４】
オープンサーバー又はメインフレームコンピュータと、前記オープンサーバー又はメインフレームコンピュータにて処理される論理ディスク単位のデータを格納するホスト側ディスクアレイ装置と、前記ホスト側ディスクアレイ装置に通信回線を介して接続され、前記ホスト側ディスクアレイ装置に格納された論理ディスク単位のデータのバックアップを行うためのバックアップ側ディスクアレイ装置とを備えるコンピュータシステムのバックアップ緊急停止方法であって、
前記ホスト側ディスクアレイ装置に、バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを設け、
任意のパネルボタンが押下されたとき、前記押下されたパネルボタンに対応するペアグルーブ番号のペアを解除することを示すペア解除コマンドをバックアップ側ディスクアレイ装置に送信する第１工程と、
自己のペア状態又は初期コピー中のステータスを２重化ペア解除終了のステータスに移行する第２工程と、
キャッシュデータを削除する第３工程と、ペアを解除したボタンスイッチを消灯する第４工程とを実行させるバックアップ緊急停止方法。
【請求項５】
前記ホスト側ディスクアレイ装置からペア解除コマンドを受信したバックアップ側ディスクアレイ装置が、前記バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを設け、前記第２工程から第４工程を実行させる請求項４記載のバックアップ緊急停止方法。
【請求項６】
前記パネルボタンの表示機能が、コピーペアグループの初期コピー中には第１の色として黄色点灯し、ペア状態では第２の色として青色点灯することを特徴とする請求項２記載のバックアップ緊急停止方法。
【発明の詳細な説明】
【技術分野】
【０００１】
本発明は、オープンサーバーやメインフレームコンピュータに接続され、二重化されたディスクアレイ装置を含むバックアップシステム及び緊急時のバックアップ用初期コピーを短時間に停止することができるバックアップシステム及びバックアップ緊急停止方法に関する。
【背景技術】
【０００２】
一般に大型のコンピュータシステムは、オープンサーバーやメインフレームコンピュータのデータを保存するホスト側のディスクアレイ装置と、地震等の災害対策用のバックアップを行うために通信回線を介して接続されたバックアップ側のディスクアレイ装置とからバックアップシステムを構成し、前記ディスクアレイ装置は、多数の磁気ディスク装置から構成されるＲＡＩＤ装置が採用されている。このように構成されたバックアップシステムは、夜間等の空き時間帯等において、ホスト側ディスクアレイ装置からバックアップ側ディスクアレイ装置にデータをバックアップする初期コピー作業が行われる。
【０００３】
なお、メインフレームコンピュータに接続されたホスト側のディスクアレイ装置のデータを遠隔地の記憶手段にバックアップする技術が記載された文献としては、下記の特許文献１及び２が挙げられ、この特許文献１には、ホスト側のディスクアレイ装置がメインフレームコンピュータを経由することなくバックアップ側の記憶手段にデータをバックアップする技術が記載され、特許文献２には、ホスト側のストレージシステムにおける論理ディスクとバックアップ側のストレージシステムの論理ディスクとによりペアグループを形成し、コピーグループ毎にリモートコピーを停止させる場合、まずコピーグループ及び特定したコピーグループに属する論理ディスクのペアを特定し、特定されたペアの論理ディスクを有するホスト側ストレージシステムが特定されたペアのリモートコピー処理を停止することによって、リモートコピーが停止したペアに関連のあるペアのみを中断し、その他のペアについてはリモートコピーを継続する技術が記載されている。
【先行技術文献】
【特許文献】
【０００４】
【特許文献１】特開平１１−１０２２６２号公報
【特許文献２】特開２００５−３３２３５４号公報
【発明の概要】
【発明が解決しようとする課題】
【０００５】
前記の特許文献に記載された技術は、メインフレームコンピュータを経由することなくデータをバックアップすることやホスト側ストレージシステムにおける論理ディスクとバックアップ側ストレージシステムの論理ディスクとによりペアグループを形成することが記載されているが、ホスト側とバックアップ側のディスクアレイ装置における初期コピーを緊急に停止させる技術は考慮されておらず、この緊急に初期コピーを停止させるためには、メインフレームコンピュータに接続されたストレージナビゲータ又はＳＶＰ（Ｓｅｒｖｉｃｅ  Ｐｒｏｃｅｓｓｏｒ）と呼ばれる管理用コンピュータを用いた場合、この管理用ルコンピュータはＧＵＩ（Ｇｒａｐｈｉｃａｌ  Ｕｓｅｒ  Ｉｎｔｅｒｆａｃｅ）操作であり、特に多数のペアグループを画面から選択して個々にコピー停止操作を人手によって行わなければならないために管理用コンピュータのスペックによっては画面遷移等に時間を要し、オープンサーバーやメインフレームコンピュータを用いた場合、ホスト側からのオペレーション指示に時間を要し、短時間に初期コピーを停止することが困難であるという課題があった。
【０００６】
なお、緊急の初期コピー停止を行う必要があるときとは、例えば、メインフレームコンピュータのユーザ業務が、初期コピーを実施することにより装置に負荷が増加し、ユーザ業務に遅延を生じる可能性が起こりえるときであり、ユーザ業務が優先するために初期コピーを停止しなければならない状況をいう。
【０００７】
本発明の目的は、前述の従来技術による課題を解決しようとするものであり、ホスト側ディスクアレイ装置からバックアップ側ディスクアレイ装置にデータの初期コピーによるバックアップを短時間に停止することができるバックアップシステム及びバックアップ緊急停止方法を提供することである。
【課題を解決するための手段】
【０００８】
前記目的を達成するために請求項１記載の発明は、オープンサーバー又はメインフレームコンピュータと、前記オープンサーバー又はメインフレームコンピュータにて処理される論理ディスク単位のデータを格納するホスト側ディスクアレイ装置と、前記ホスト側ディスクアレイ装置に通信回線を介して接続され、前記ホスト側ディスクアレイ装置に格納された論理ディスク単位のデータのバックアップを行うためのバックアップ側ディスクアレイ装置とを備えるバックアップシステムであって、
前記ホスト側ディスクアレイ装置が、バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを有し、任意のパネルボタンが押下されたとき、前記押下されたパネルボタンに対応するペアグルーブ番号のペアを解除することを示すペア解除コマンドをバックアップ側ディスクアレイ装置に送信する第１工程と、自己のペア状態又は初期コピー中のステータスを２重化ペア解除終了のステータスに移行する第２工程と、キャッシュデータを削除する第３工程と、ペアを解除したボタンスイッチを消灯する第４工程とを実行するように動作することを特徴とする。
【０００９】
請求項２記載の発明は、前記特徴のバックアップシステムにおいて、前記ホスト側ディスクアレイ装置からペア解除コマンドを受信したバックアップ側ディスクアレイ装置が、前記バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを有し、前記第２工程から第４工程を実行することを特徴とし、請求項３記載の発明は、前記パネルボタンの表示機能が、コピーペアグループの初期コピー中には第１の色として黄色点灯し、ペア状態では第２の色として青色点灯することを特徴とする。
【００１０】
請求項４記載の発明は、オープンサーバー又はメインフレームコンピュータと、前記オープンサーバー又はメインフレームコンピュータにて処理される論理ディスク単位のデータを格納するホスト側ディスクアレイ装置と、前記ホスト側ディスクアレイ装置に通信回線を介して接続され、前記ホスト側ディスクアレイ装置に格納された論理ディスク単位のデータのバックアップを行うためのバックアップ側ディスクアレイ装置とを備えるコンピュータシステムのバックアップ緊急停止方法であって、
前記ホスト側ディスクアレイ装置に、バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを設け、任意のパネルボタンが押下されたとき、前記押下されたパネルボタンに対応するペアグルーブ番号のペアを解除することを示すペア解除コマンドをバックアップ側ディスクアレイ装置に送信する第１工程と、自己のペア状態又は初期コピー中のステータスを２重化ペア解除終了のステータスに移行する第２工程と、キャッシュデータを削除する第３工程と、ペアを解除したボタンスイッチを消灯する第４工程とを実行させることを特徴とする。
【００１１】
請求項５記載の発明は、前記特徴のバックアップ緊急停止方法において、前記ホスト側ディスクアレイ装置からペア解除コマンドを受信したバックアップ側ディスクアレイ装置が、前記バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを設け、前記第２工程から第４工程を実行させることを特徴とし、請求項６記載の発明は、前記パネルボタンの表示機能が、コピーペアグループの初期コピー中には第１の色として黄色点灯し、ペア状態では第２の色として青色点灯することを特徴とする。
【発明の効果】
【００１２】
本発明によるバックアップシステム及びバックアップ緊急停止方法は、ホスト側ディスクアレイ装置が、バックアップデータを一時的に保存するキャッシュメモリと、ホスト側ディスクアレイ装置の論理ディスクとバックアップ側ディスクアレイ装置の論理ディスクとの対応を示すペアグルーブ番号が付与され、コピーペアグループの初期コピー中には第１の色にて点灯し、ペア状態では第２の色にて点灯し、不使用状態では消灯する表示機能を有するパネルボタンを有し、任意のパネルボタンが押下されたとき、前記押下されたパネルボタンに対応するペアグルーブ番号のペアを解除することを示すペア解除コマンドをバックアップ側ディスクアレイ装置に送信する第１工程と、自己のペア状態又はコピー遷移中のステータスを２重化ペア解除終了のステータスに移行する第２工程と、キャッシュデータを削除する第３工程と、ペアを解除したボタンスイッチを消灯する第４工程とを実行するように動作することによって、緊急時の初期コピーを短時間に停止することができる。
【図面の簡単な説明】
【００１３】
【図１】本発明の実施形態によるディスクアレイ装置を含むバックアップシステムを示す図
【図２】本実施形態によるバックアップシステムの構成を説明するための図
【図３】本実施形態によるパネルボタンを示す図
【図４】本実施形態によるバックアップシステムの動作を説明するための図
【発明を実施するための形態】
【００１４】
以下、本発明によるバックアップ緊急停止方法を適用したバックアップシステムの一実施形態を図面を参照して詳細に説明する。
［構成］
本実施形態によるバックアップシステムは、図１に示す如く、各種の業務処理を行うメインフレームコンピュータ１０１と、前記メインフレームコンピュータ１０１にて処理される非同期転送用にジャーナルデータを確保する為のジャーナルグループ（ＪＮＬＧ）単位のデータを格納する複数磁気ディスク装置を含むＲＡＩＤ構成のディスクアレイ装置２００と、このディスクアレイ装置２００に通信回線９０を介して接続され、前記ディスクアレイ装置２００に格納された論理ディスク単位のデータのバックアップを行うための複数磁気ディスク装置を含むＲＡＩＤ構成のディスクアレイ装置３００とによって構成され、前記ディスクアレイ装置２００及び３００には各ディスクアレイ装置を制御するためのＳＶＰ（Ｓｅｒｖｉｃｅ  Ｐｒｏｃｅｓｓｏｒ）７０と本実施形態の特徴である初期コピーの緊急停止を行うための複数のスイッチから成るパネルボタン５０１とを備える。なお、ディスクアレイ装置２００に接続されるホストはメインフレームコンピュータに限られるものではなく、ＵＮＩＸ（登録商標）やＬｉｎｕｘ（登録商標）などのオープンな技術で構成されるオープンサーバーその他のコンピュータであっても良い。
【００１５】
前記ディスクアレイ装置２００は、図２に示す如く、複数の磁気ディスク装置から構成される複数の論理ディスク２０１から２０４と、ディスクアレイ装置３００とのデータ転送を行うために一時的にデータを格納するキャッシュメモリ２０９と、これらを制御するための制御部２１０とを備え、前記ディスクアレイ装置３００は、複数の磁気ディスク装置から構成される複数の論理ディスク３０１から３０４と、ディスクアレイ装置２００とのデータ転送を行うために一時的にデータを格納するキャッシュメモリ３０９と、これらを制御するための制御部３１０とを備え、前記論理ディスク２０１と論理ディスク３０１とがペアとなってペアグループ番号「００」が付与され、他の論理ディスクも同様にペア毎にペアグルーブ番号「０１」及び「０２」が付与されている。なお、本実施形態においては、論理ディスクのペアグループ番号「００」から「０２」を備える例を図示しているが、システム構成規模によっては、２５６までの論理ディスクのペアジャーナルグループを形成することができる。
【００１６】
前記パネルボタン５０１は、ボタン消灯状態の図３（ａ）に示す如く、前記した論理ディスク毎のペアグループ番号「００」から「２５５」までの表示機能付きの２５６個のボタンスイッチ（図示では「６９」迄を描写）を備え、この個々のボタンスイッチは、初期コピー中は黄色点灯し、コピー定義が完了した通常運用状態（ペア状態）には緑色点灯し、コピーペアグループが定義されていない不使用状態では消灯するように構成され、保守員以外の顧客等が容易に操作できないように鍵付きの透過性ドアを設けるのが望ましい。また、これらパネルボタン５０１は、任意ボタン点灯状態の図３（ｂ）に示す如く、符号５０で示すペアグループ「００」から「０２」が黄色表示の初期コピー中、符号５１で示すペアグループ「０３」から「０９」が緑色点灯のペア状態、符号５２で示すペアグループ「１１」から「６９」が消灯中の不使用状態であることを表すことができる。
【００１７】
［動作］
さて、本実施形態によるバックアップシステムによる初期化コピー動作は、図４に示す如く、ディスクアレイ装置２００からディスクアレイ装置３００へデータのバックアップを開始するとき、データの初期コピーを開始するステップＳ４０１と、このステップＳ４０１によってパネルボタン５０１の論理ディスクの対応（例えば正ＶＯＬ：ＪＮＬＧＩＤ［００］→副ＶＯＬ：ＪＮＬＧＩＤ［００］）のスイッチが黄色点灯により初期コピー中であることを確認するステップＳ４０２と、メインコンピュータ１０１のプロセッサの利用率を監視するステップＳ４０３と、該ステップＳ４０３によって監視しているプロセッサの利用率が所定の閾値（例えば、８０％）を越えているか否かを判定するステップＳ４０４と、このステップＳ４０４によって閾値を越えていないと判定したとき、初期コピーが完了したか否かを判定し、完了していないと判定したときに前記ステップＳ４０３に戻るステップＳ４０５と、このステップＳ４０５において初期コピーが完了したと判定したとき、初期コピー完了のステータスであるＤＵＰＬＥＸ（ペア状態）に移行するステップＳ４０６と、前記ステップＳ４０４において閾値を越えたと判定したとき、保守員の操作によって本実施形態の特徴である緊急の初期コピー停止操作に移行するステップＳ４０７と、このステップＳ４０７による初期コピー停止による２重化のペアを解除したステータスであるＳＩＭＰＬＥＸ（２重化ペア解除終了）に移行するステップＳ４０８を実行するように動作する。なお、前記ステップＳ４０４による利用率の判定結果は管理者や保守員にメール通知されることが望ましい。
【００１８】
本実施形態におけるステップＳ４０７は、保守員がパネルボタン５０１の初期コピー停止対象であるボタンスイッチを押すことによって、ディスクアレイ装置２００の制御部２１０が、ディスクアレイ装置２００からディスクアレイ装置３００にペア解除コマンドを発行する第１工程と、自己のステータス（ペア状態のＤＵＰＬＥＸ又はコピー遷移中のＰＥＮＤＩＮＧ）からＳＩＭＰＬＥＸ（２重化ペア解除終了）に移行する第２工程と、キャッシュメモリ２０９のキャッシュデータを削除する第３工程と、ペアを解除したボタンスイッチを消灯する第４工程とを実行するように動作し、ディスクアレイ装置３００においても前記第２工程から第４工程とを自動的に実行するように動作する。なお、この緊急の初期コピーを停止したペアグループは、データコピーが保証されないため、再度の初期コピーを実行する必要がある。
【００１９】
このように本実施形態によるバックアップシステム及びバックアップ緊急停止方法は、ストレージナビゲータ又はＳＶＰ（Ｓｅｒｖｉｃｅ  Ｐｒｏｃｅｓｓｏｒ）と呼ばれる管理用コンピュータやオープンサーバー・メインフレームコンピュータを用いることなくペア状態を解除し、多数のペアグループを画面から選択して個々にコピー停止操作を人手によってＧＵＩ操作が不要のため、短時間に初期コピーを停止することができる。なお、前記パネルボタン５０１及び前記パネルボタン５０１を実行する制御部２１０のプログラムは、ホスト側のディスクアレイ装置２００のみに設けるように構成しても良い。
【符号の説明】
【００２０】
９０  通信回線、１０１  メインフレームコンピュータ、
２００  ディスクアレイ装置、２０１  論理ディスク、２０９  キャッシュメモリ、２１０  制御部、３００  ディスクアレイ装置、３０１  論理ディスク、
３０９  キャッシュメモリ、３１０  制御部、５０１  パネルボタン
【図１】
0006012258.tif 000002
【図２】
0006012258.tif 000003
【図３】
0006012258.tif 000004
【図４】
0006012258.tif 000005